(57)【要約】      （修正有）【課題】座面高さを、正座や足伸ばし座り状態で座った床レベルから、通常の腰掛けの下肢高さレベルまでの上昇変更又はその逆変更を、自在に調節できると共に、堅牢軽量で且つ折り畳みによるコンパクト移送や収納を可能にした多機能な座面高さ調節自在機能椅子を提供する。【解決手段】折り畳み可能にした背凭れを有する座面の両側に平行して対向する上下フレーム１０３，１０４を設け、この上下フレーム間に昇降機構を設け、昇降機構はリンク中央部を軸連結したＸ型の平行拡縮シフトリンク機構２００と、上下フレーム間の前後に対向配置しリンク間を軸連結したくの字型の拡縮リンク機構３００と、この前後の、くの字型の拡縮リンク機構３００のリンク間をガスダンパーで連結したガスダンパー機構４００と、前記くの字型の拡縮リンク機構３００を拡縮操作をする拡縮昇降操作アーム機構５００とにより構成したことを特徴とする座面高さ調節自在機能椅子。【選択図】図１
0003187296.tif 000002
【実用新案登録請求の範囲】
【請求項１】
折り畳み可能にした背凭れを有する座面の両側に平行して対向する上下フレーム（１０３，１０４）を設け、この上下フレーム間に昇降機構を設け、昇降機構はリンク中央部を軸連結したＸ型の平行拡縮シフトリンク機構（２００）と上下フレーム間の前後に対向配置しリンク間を軸連結したくの字型の拡縮リンク機構（３００）と、この前後のくの字型の拡縮リンク機構（３００）のリンク間をガスダンパーで連結したガスダンパー機構（４００）と、前記くの字型の拡縮リンク機構（３００）の拡縮操作をする拡縮昇降操作アーム機構（５００）とにより構成したことを特徴とする座面高さ調節自在機能椅子。
【請求項２】
前記Ｘ型の平行拡縮シフトリンク機構（２００）は、一方のリンクの前端部を上フレームに軸連結し他方のリンクの前端部を下フレームに軸連結し、この両リンクの後端部を上下フレームの当該フレームで前後動自在にガイドし、くの字型の拡縮リンク機構（３００）は、上下のリンク間を軸連結して対向配置し、この軸連結部を互いに内側に位置させ、前記ガスダンパー機構（４００）は、ガスダンパーをくの字型の拡縮リンク機構（３００）の各下のリンク間を連結し、前記拡縮昇降操作アーム機構（５００）は回動アームを有しこの回動アームに連結リンクを介して前後のくの字型の拡縮リンク機構（３００）の上下のリンク間を連結した軸に連結し、回動アームの回動操作でくの字型の拡縮リンク機構（３００）の上下のリンク間の軸連結部を接近・離間させて拡縮させ上下フレーム間を昇降拡縮させることを特徴とする請求項１に記載の座面高さ調節自在機能椅子。
【請求項３】
前記拡縮昇降操作アーム機構（５００）の回動アームに、くの字型の拡縮リンク機構（３００）とガスダンパー機構（４００）の拡縮動作をロックするロック機構を設けたことを特徴とする請求項１又は請求項２に記載の座面調節自在機能椅子。
【請求項４】
前記上下フレーム（１０３，１０４）の後部にキャリアーを取り付けたことを特徴とする請求項１又は請求項２又は請求項３に記載の座面高さ調節自在機能椅子。
【考案の詳細な説明】
【技術分野】
【０００１】  本考案は、座面高さを、例えば正座や足伸ばし座り状態で座った床レベルから、通常の腰掛けの下肢高さレベルまでの上昇変更又はその逆変更を、座った人が自在に調節でき、しかも堅牢軽量で且つ折り畳みによるコンパクト移送や収納を可能にした多機能な座面高さ調節自在機能椅子に関するものである。
【背景技術】
【０００２】  従来、一般家庭や旅館やホテルなどにて使用する椅子は、座面高さを床レベルにしたで座椅子、下肢高さレベルにした腰掛椅子がそれぞれ別個に製作されて使用に供されている。
座椅子は一般に座面と背凭れで構成し、両足を前に自由に投げ出して座るか或いは正座して座ることもある。
腰掛椅子は座面と座面を膝高さにして支持する脚部と背凭れで構成し、両足を膝から下方に曲げて床に着けて座る。またいずれの場合も肘掛を付設している場合が多い。【０００３】  而して、前記座椅子は腰掛椅子に変更することはできない構造であり、前記腰掛椅子も座椅子に変更することができない構造である。【０００４】このため主に座椅子の場合は、座る際は、腰をいっきに床レベルまで下げながら両足を前に投げ出すか両足を折り曲げながら正座をするが、座椅子から立ち上がる際は、両足を前に投げ出している時は、少し腰を浮かしながら座椅子を一旦後方や横に少しずらして立ち上がり易いようにしてから後に肘掛に両手を掛けて体を押し上げながら立ち上がり、正座している時は、肘掛に両手を掛けて体を押し上げながら中腰になり徐々に立ち上がる。
しかし座椅子に長時間も両足を前に投げ出すか正座をして後の立ち上がりは、困難を極める。特にご高齢者の場合は座る際を含めて難儀なものでサポートが必要になる。
【考案の概要】
【考案が解決しようとする課題】
【０００５】  本考案は、座面高さを、例えば正座や足伸ばし座り状態で座った床レベルから、通常の腰掛けの下肢高さレベルまでの上昇変更又はその逆変更を、自在に調節できると共に、腰掛椅子状態にした座面に腰掛けた人がそのまま座椅子状態に変更して後に、両足を前に投げ出すか或いは正座に切り替え、立つ時は座椅子状態から一旦腰掛椅子状態に変更してそのまま腰掛椅子として利用するか、立ち上がり離座することを極めて容易に可能にし、しかも堅牢軽量で且つ折り畳みによるコンパクト移送や収納を可能にした多機能な座面高さ調節自在機能椅子を提供するものである。
【課題を解決するための手段】
【０００６】  本考案は、上記の課題を満足するものでありその特徴とするところは次の（１）〜（４）の通りである。
（１）、折り畳み可能にした背凭れを有する座面の両側に平行して対向する上下フレーム１０３，１０４を設け、この上下フレーム間に昇降機構を設け、昇降機構はリンク中央部を軸連結したＸ型の平行拡縮シフトリンク機構２００と、上下フレーム間の前後に対向配置しリンク間を軸連結したくの字型の拡縮リンク機構３００と、この前後のくの字型の拡縮リンク機構３００のリンク間をガスダンパーで連結したガスダンパー機構４００と、前記くの字型の拡縮リンク機構３００を拡縮操作をする拡縮昇降操作アーム機構５００とにより構成したことを特徴とする座面高さ調節自在機能椅子。【０００７】（２）、前記Ｘ型の平行拡縮シフトリンク機構２００は、一方のリンクの前端部を上フレームに軸連結し他方のリンクの前端部を下フレームに軸連結し、この両リンクの後端部を上下フレームの当該フレームで前後動自在にガイドし、くの字型の拡縮リンク機構３００は、上下のリンク間を軸連結して対向配置し、この軸連結を互いに内側に位置させ、前記ガスダンパー機構４００は、ガスダンパーをくの字型の拡縮リンク機構３００の各下のリンク間を連結し、前記拡縮昇降操作アーム機構５００は回動アームを有しこの回動アームに連結リンクを介して前後の、くの字型の拡縮リンク機構３００の上下のリンク間を連結した軸に連結し、回動アームの回動操作でくの字型の拡縮リンク機構３００の上下のリンク間の軸連結部を接近・離間させて拡縮させ上下フレーム間を昇降拡縮させることを特徴とする前記（１）に記載の座面高さ調節自在機能椅子。【０００８】（３）、前記拡縮昇降操作アーム機構５００の回動アームに、くの字型の拡縮リンク機構３００の拡縮動作をロックするロック機構を設けたことを特徴とする前記（１）又は（２）に記載の座面調節自在機能椅子。【０００９】（４）、前記上下フレーム１０３，１０４の後部にキャリアーを取り付けたことを特徴とする前記（１）又は（２）又は（３）に記載の座面高さ調節自在機能椅子。
【考案の効果】
【００１０】  本考案の前記構成の座面高さ調節自在機能椅子は、椅子本体に設けた上フレームと、下フレーム間において、拡縮昇降操作アーム機構５００を除き、昇降機構のＸ型の平行拡縮シフトリンク機構２００と、くの字型の拡縮リンク機構３００と、ガスダンパー機構４００とをコンパクトに収容可能にした堅牢軽量化な椅子である。
そしてこの座面高さ調節自在機能椅子は、座面高さを、例えば正座や足伸ばし座り状態で座った床レベルから、通常の腰掛けの下肢高さレベルまでの上昇変更又はその逆変更を、拡縮昇降操作アーム機構５００により自在に調節できる。即ち、拡縮昇降操作アーム機構５００を操作して腰掛椅子状態にした座面に腰掛けた人がそのまま座椅子状態に変更し、両足を前に投げ出すか或いは正座に切り替え、立つ時は座椅子状態から一旦腰掛椅子状態に変更して立ち上がり離座することを極めて容易に可能にし、またはそのまま腰掛椅子として利用することができる。しかも堅牢軽量で且つ折り畳みによるコンパクト化移送や収納を可能にした多機能な優れた作用効果を呈するものである。
【図面の簡単な説明】
【００１１】
【図１】本考案の実施例１を示す全体の鳥瞰図であり、背凭れを起こして腰掛椅子にした状態を示す。
【図２】、図１に示す背凭れを倒してコンパクトに折り畳んで座椅子にした状態を示す鳥瞰図である。
【図３】本考案の実施例１において、図１（１）に示す座椅子状態から背凭れを倒して畳んだ状態を（１）に示し、この状態から、それを縦型に起してキャリングする際の状態を（２）に示す側面説明図である。
【図４】本考案の実施例１の拡縮昇降操作アーム機構において、昇降機構を上昇作動させて腰掛椅子状態にする直前の状態を拡大して示す鳥瞰図である。
【図５】本考案の実施例１の拡縮昇降操作アーム機構において、昇降機構を下降作動させて座椅子状態にする直前の状態を拡大して示す鳥瞰図である。
【考案を実施するための形態】
【００１２】  本考案を実施するための形態は、図面に示す実施例により詳細に説明する。
【実施例１】
【００１３】  本考案の座面高さ調節自在機能椅子の実施例は、図１〜図５において詳細に紹介する。座面高さ調節自在機能椅子１００は、折り畳み可能にした背凭れ１０１とこの背凭れ１０１を後部に装着した座面１０２と、座面１０２両側に平行して対向して設けた上下フレーム１０３、１０４と、上下フレーム１０３、１０４間に設けた昇降機構とからなる。
昇降機構は、上下フレーム１０３、１０４の上下昇降移動の平行シフト用で一対のリンク２０１、２０２の中央部を軸２０３で連結したＸ型の平行拡縮シフトリンク機構２００を備え、リンク間を軸３０１−１，３０１−２で連結したくの字型の拡縮リンク３０２−１，３０２−２、３０３−１，３０３−２を前側と後側に対向配置したくの字型の拡縮リンク機構３００と、各くの字型の拡縮リンク機構３００の前後の拡縮リンク３０２−２と３０３−２間にガスダンパー４０１を軸４０１−１、４０１−２で連結したガスダンパー機構４００とからなり、前記くの字型の拡縮リンク３０２−１，３０２−２、３０３−１，３０３−２の軸３０１−１，３０１−２に連結し、くの字型の拡縮リンクの拡縮操作をする拡縮昇降操作アーム機構５００を備えて構成してある。【００１４】  前記Ｘ型の平行拡縮シフトリンク機構２００は、一方のリンク２０１の前端部を上フレーム１０３に軸２０４で連結し他方のリンク２０２の前端部を下フレーム１０４に軸２０５連結し、この両リンク２０１、２０２の後端部を上下フレーム１０３，１０４のガイド溝１０３Ｇ，１０４Ｇにより前後動自在にガイドされている。【００１５】  前記くの字型の拡縮リンク機構３００は、くの字型の拡縮リンク３０３−１，３０２−１の上部と，くの字型拡縮リンク３０２−２，３０３−２下部を当該上下フレーム１０３，１０４の前後に軸２０４，２０５、２０６，２０７で連結して対向配置し、中央部の連結軸３０１−１，３０１−２部を互いに内側に位置させて、くの字にし、つまり連結軸３０１−１，３０１−２部を上下フレーム１０３，１０４間の中央部寄りに位置させる。
ガスダンパー機構４００のガスダンパー４０１は、前後の、くの字型拡縮リンク３０２−２，３０３−２に常に圧縮からの反発力を作用させて、くの字型の拡縮リンク機構３００に拡張上昇力を付与し上フレーム１０３を押し上げる駆動力にしてある。【００１６】  前記拡縮昇降操作アーム機構５００は、両側の上下フレーム１０３、１０４の外側近傍にて先端の軸５１１を中心に椅子の前後に回動可能にした回動アーム５０１を有する。
この回動アーム５０１の先部の前後には連結リンク５０２，５０３を軸５１１，５１２で連結する。
前側の連結リンク５０２の先端は、前側の、くの字型の拡縮リンク機構３００の軸３０１−１に連結し、後側の連結リンク５０３の先端は、後側の、くの字型の拡縮リンク機構３００の軸３０１−２に連結する。【００１７】これで、回動アーム５０１を後方に回動操作することで連結リンク５０２，５０３の軸３０１−１，３０１−２連結部を中央部に接近させて、くの字型の拡縮リンク機構３００を縮少作動させ上フレーム１０３を下降させて図２に示す座椅子状態にする。また回動アーム５０１を前方に回動操作することで連結リンク５０２，５０３の軸３０１−１，３０１−２連結部を中央部から離間させて、くの字型の拡縮リンク機構３００を拡張作動させ上フレーム１０３を上昇させて図１に示す腰掛椅子状態にする。この腰掛椅子状態にする際は回動アーム５０１と共にガスダンパー４０１の拡張力が加わり容易に上フレーム１０３を上昇させることができる。【００１８】  図２に示す座椅子状態にした際は、前記Ｘ型の平行拡縮シフトリンク２００と、くの字型の拡縮リンク機構３００と、ガスダンパー機構４００は、上下フレーム１０３と１０４とのガイド溝１０３Ｇ，１０４Ｇ内に収容される。【００１９】前記拡縮昇降操作アーム機構５００は、回動アーム５０１に、昇降機構の座椅子状態にした下降限状態と腰掛椅子状態にした上昇限状態をロックするロック機構を設けてある。
このロック機構は、回動アーム５０１の先端部に設けた割り込みロックガイド５１２Ｇと、その後方の上下に突起状の上昇ロックピン５１２Ｒと下降ロックピン５１２Ｒ−Ｐと、割り込みロックガイド５１２Ｇの長穴５１２Ｌにピン５１２Ｐ止め連結して割り込みガイド５１２Ｇに長穴範囲で摺動可能にし、先端部にテーパー部ＴＰを有するロックブロック５１３と、ロックブロック５１３に接続し上昇ロックピン５１２Ｒの上部を挿通したレリーズワイヤー５１４と、レリーズワイヤー５１４を牽引操作してロックブロック５１３を摺動させるレリーズ牽引レバー５１５と、上昇ロックピン５１２Ｒの上部とロックブロック５１３間のレリーズワイヤー５１４部を圧縮状態で挿入位置させたスプリング５１６とから構成してある。【００２０】下降ロックピン５１２Ｒ−Ｐは、後方の、くの字型の拡縮リンク機構３００の軸３０１−２の前移動を阻止し上フレーム１０３の下降動作をロックする。前方の、くの字型の拡縮リンク機構３００の軸３０１−１の前移動を阻止し上フレーム１０３の上昇動作をロックするのが前記割り込みロックガイド５１２Ｇと前記ロックブロック５１３である。【００２１】下降ロックピン５１２Ｒ−Ｐは、図１及び図４に示すように回動アーム４０１を後ろに回動させて腰掛椅子状態にした際に、後ろ側の、くの字型の拡縮リンク機構３００の軸３０１−２の前側に接触して入り込み、軸３０１−２の前方移動をロックするつまり上フレーム１０３に固定装着した座面１０２の下降動作をロックするものである。この状態は人が腰かけるとその自重で更に強いロック力になり安全である。【００２２】割り込みロックガイド５１２Ｇは、図２に示すように回動アーム５０１を前に回動させて座椅子状態にする際に、約１２０〜１４０度の円弧動作をしながら、その後半で図５に示す如く、前側の、くの字型の拡縮リンク機構３００の軸３０１−１に徐々に接近し、その後更に円弧動作を続けて、軸３０１−１に接近し接触してその直前に入り込む。図５は軸３０１−１に接近する直前の状態を示す。
該ロックガイド５１２Ｇが軸３０１−１の直前に入り込む動作と併行して、ロックブロック５１３は、スプリング５１６の反発力によりその先部のテーパー部ＴＰを軸３０１−１の外周に沿って圧接しながら軸３０１−１の直下に潜り込ませて、軸３０１−１の直前に移動したロック位置に到来の割り込みガイド５１２Ｇの浮き上がりを阻止する所謂二重ロック機能状態になり、結果的に図２に示す状態になる。
この状態を解除するには、レリーズ牽引レバー５１５を握りレリーズ牽引操作しながら回動アーム５０１を前側に回動させればよい。【００２３】前記上フレーム１０３の後部には走行方向自在の回転キャリアー１０３Ｃを取り付け、図３の（１）（２）に示すように折り畳み後の移送に用いる。【００２４】  以上の実施例１で紹介した本考案の座面高さ調節自在機能椅子は、前記した優れた作用効果の全てを充分に確実に発揮することを確認することができた。
【産業上の利用可能性】
【００２５】  本考案の座面高さ調節自在機能椅子は、前述のように優れた作用効果を有するため椅子産業界および椅子利用者特に脚腰の弱い人に貢献すること多大なものがある。
【符号の説明】
【００２６】１００：座面高さ調節自在機能椅子
１０１：背凭れ
１０２：座面
１０３：上フレーム
１０４：下フレーム
１０３Ｇ，１０４Ｇ：ガイド溝
１０３Ｃ：回転キャリアー
２００：Ｘ型の平行拡縮シフトリンク機構
３００：くの字型の拡縮リンク機構
４００：ガスダンパー機構
４０１：ガスダンパー
５００：拡縮昇降操作アーム機構
５０１：回動アーム
５１２Ｇ：割り込みロックガイド
５１２Ｒ：下降ロックピン
５１２Ｒ−Ｐ：上昇ロックピン
５１３：ロックブロック
【図１】
0003187296.tif 000003
【図２】
0003187296.tif 000004
【図３】
0003187296.tif 000005
【図４】
0003187296.tif 000006
【図５】
0003187296.tif 000007